(57)【特許請求の範囲】
【請求項１】
第一移動部材と第二移動部材とを移動可能な駆動装置を備えた遊技機において、
前記駆動装置は、ベース部材と、
前記ベース部材上の長辺方向に形成された複数のスライド部と、
前記複数のスライド部のうちの前記ベース部材上の第一スライド部に配置され、前記第一スライド部に沿って第一位置と第二位置の間をスライド移動可能な第一スライド部材と、
前記複数のスライド部のうちの前記ベース部材上の第二スライド部に配置され、前記第二スライド部に沿って第三位置と第四位置の間をスライド移動可能な第二スライド部材と、
前記第一移動部材と前記第一スライド部材とを連結し、前記第一スライド部材のスライド移動に合わせて前記第一移動部材を移動させる第一連結部材と、
前記第二移動部材と前記第二スライド部材とを連結し、前記第二スライド部材のスライド移動に合わせて前記第二移動部材を移動させる第二連結部材とを備え、
前記第二移動部材が前記第一スライド部材に対して前記第二スライド部材の反対側となる前記ベース部材の側方側に設けられると共に、前記第二連結部材が前記ベース部材上の前記第一スライド部材の移動軌跡を跨いで配置され、
前記第二連結部材と前記ベース部材の少なくとも一方に、他方へ向けて突出すると共に突出長さが前記第二連結部材と前記ベース部材との間の前記第一スライド部材の厚みより長い突出部を前記第一スライド部及び前記第二スライド部とは別に設け、前記第一スライド部及び前記第二スライド部によって前記第一スライド部材及び前記第二スライド部材の移動方向を規制する一方、前記第一スライド部材の移動軌跡を跨いだ前記第二連結部材が前記ベース部材方向に動いた場合に、前記第二連結部材が前記第一スライド部材の移動軌跡に侵入する前に前記突出部が当該移動軌跡への侵入を阻止して前記第二連結部材と前記第一スライド部材の接触を抑制するように構成したことを特徴とする遊技機。
【請求項２】
前記突出部は、前記ベース部材に設けられて前記第二連結部に接触可能なベース部材側突出部からなることを特徴とする請求項１に記載の遊技機。
【請求項３】
前記突出部は、前記第二連結部材に設けられて前記ベース部材に接触可能な連結部材側突出部からなることを特徴とする請求項１に記載の遊技機。
【請求項４】
前記突出部は、前記ベース部材に設けられたベース部材側突出部と、前記第二連結部材に設けられた連結部材側突出部とからなり、前記ベース部材側突出部と前記連結部材側突出部とが互いに接触可能に構成されていることを特徴とする請求項１に記載の遊技機。
【請求項５】
前記駆動装置は、駆動源と、前記駆動源からの動力を前記第一スライド部材及び前記第二スライド部材に伝達するために前記ベース部材上の前記第一スライド部材と前記第二スライド部材との間に回動可能に保持された伝達ギアとを備え、
前記駆動源の駆動に伴い前記伝達ギアを回動させることで、前記第一スライド部材が前記第一位置から前記第二位置までスライド移動すると同時に、前記第二スライド部材が前記第一スライド部材の前記ベース部材に対する移動方向が反対側となる前記第三位置から前記第四位置までスライド移動するように構成し、
前記突出部は、前記伝達ギアと共に前記第一スライド部材と前記第二スライド部材との間に設けられることを特徴とする請求項１ないし４のいずれか１項に記載の遊技機。
【請求項６】
前記突出部は、前記第一スライド部材と前記第二移動部材との間に設けられることを特徴とする請求項１ないし４のいずれか１項に記載の遊技機。
【請求項７】
前記第一移動部材と前記第二移動部材とは、前記第一連結部材と前記第二連結部材とを介して前記ベース部材に対して同方向側に配置され、
前記第一スライド部材が前記第二位置に位置し、かつ、前記第二スライド部材が前記第四位置に位置した際に、前記第一移動部材と前記第二移動部材とが隣接するように構成したことを特徴とする請求項１ないし６のいずれか１項に記載の遊技機。
【請求項８】
前記第一移動部材と前記第二移動部材とは、表示領域を備える図柄表示装置の前面側に設けられ、
前記第一移動部材及び前記第二移動部材は、前記第一スライド部材が前記第一位置に位置すると共に前記第二スライド部材が前記第三位置に位置する場合に前記表示領域を露出させる一方、前記第一スライド部材が前記第二位置に位置すると共に前記第二スライド部材が前記第四位置に位置する場合に前記表示領域の少なくとも一部を遮蔽するように構成したことを特徴とする請求項１ないし７のいずれか１項に記載の遊技機。
【請求項９】
前記第二移動部材と前記第一スライド部材と前記第二スライド部材は、同一の仮想平面上に配置されることを特徴とする請求項１ないし８のいずれか１項に記載の遊技機。
【発明の詳細な説明】
【技術分野】
【０００１】
この発明は、パチンコ遊技機等の遊技機に関する。
【背景技術】
【０００２】
一般に、パチンコ遊技機等の遊技機では、図柄表示装置において当否判定図柄やキャラクタ等の各種演出図柄等を適宜の態様で表示したり、大当たり等の遊技態様に応じて各種ランプ表示器を点滅表示させたり、遊技盤上に設けられた風車や各入賞口等の各種役物を適宜の駆動装置を用いて駆動させたりする等、遊技実行中に遊技者の興趣を高める等のために様々な演出が行われる。
【０００３】
近年の遊技機では、多数の演出部材が搭載されたり、図柄表示装置や演出部材が大型化される傾向があり、例えば、図柄表示装置の前面側に駆動装置により開閉駆動可能な左右一対の開閉部材を備え、遊技の演出に伴って開閉部材を開閉させる遊技機が知られている（例えば、特許文献１参照。）。このように、図柄表示装置や駆動装置により駆動される演出部材が大型の遊技機では、駆動装置が設けられる空間を極力小さく抑える必要があり、駆動装置を構成する各種の部材同士が近接して配置される。
【０００４】
しかるに、従来の遊技機では、駆動装置により駆動される開閉部材が大型であるため、その重量等により駆動装置を構成する部材同士が意図せず接触して開閉動作時の安定性が悪化する等、動作に支障を来す場合があった。
【先行技術文献】
【特許文献】
【０００５】
【特許文献１】特開２０１０−２３４０２１号公報
【発明の概要】
【発明が解決しようとする課題】
【０００６】
本発明は前記の点に鑑みなされたものであり、駆動装置を構成する部材同士の意図しない接触を抑制することが可能な遊技機を提供するものである。
【課題を解決するための手段】
【０００７】
すなわち、請求項１の発明は、第一移動部材と第二移動部材とを移動可能な駆動装置を備えた遊技機において、前記駆動装置は、ベース部材と、前記ベース部材上の長辺方向に形成された複数のスライド部と、前記複数のスライド部のうちの前記ベース部材上の第一スライド部に配置され、前記第一スライド部に沿って第一位置と第二位置の間をスライド移動可能な第一スライド部材と、前記複数のスライド部のうちの前記ベース部材上の第二スライド部に配置され、前記第二スライド部に沿って第三位置と第四位置の間をスライド移動可能な第二スライド部材と、前記第一移動部材と前記第一スライド部材とを連結し、前記第一スライド部材のスライド移動に合わせて前記第一移動部材を移動させる第一連結部材と、前記第二移動部材と前記第二スライド部材とを連結し、前記第二スライド部材のスライド移動に合わせて前記第二移動部材を移動させる第二連結部材とを備え、前記第二移動部材が前記第一スライド部材に対して前記第二スライド部材の反対側となる前記ベース部材の側方側に設けられると共に、前記第二連結部材が前記ベース部材上の前記第一スライド部材の移動軌跡を跨いで配置され、前記第二連結部材と前記ベース部材の少なくとも一方に、他方へ向けて突出すると共に突出長さが前記第二連結部材と前記ベース部材との間の前記第一スライド部材の厚みより長い突出部を前記第一スライド部及び前記第二スライド部とは別に設け、前記第一スライド部及び前記第二スライド部によって前記第一スライド部材及び前記第二スライド部材の移動方向を規制する一方、前記第一スライド部材の移動軌跡を跨いだ前記第二連結部材が前記ベース部材方向に動いた場合に、前記第二連結部材が前記第一スライド部材の移動軌跡に侵入する前に前記突出部が当該移動軌跡への侵入を阻止して前記第二連結部材と前記第一スライド部材の接触を抑制するように構成したことを特徴とする遊技機に係る。
【０００８】
請求項２の発明は、前記ベース部材に設けられて前記第二連結部に接触可能なベース部材側突出部からなることを特徴とする請求項１に記載の遊技機に係る。
【０００９】
請求項３の発明は、前記突出部は、前記第二連結部材に設けられて前記ベース部材に接触可能な連結部材側突出部からなることを特徴とする請求項１に記載の遊技機に係る。
【００１０】
請求項４の発明は、前記突出部は、前記ベース部材に設けられたベース部材側突出部と、前記第二連結部材に設けられた連結部材側突出部とからなり、前記ベース部材側突出部と前記連結部材側突出部とが互いに接触可能に構成されていることを特徴とする請求項１に記載の遊技機に係る。
【００１１】
請求項５の発明は、前記駆動装置は、駆動源と、前記駆動源からの動力を前記第一スライド部材及び前記第二スライド部材に伝達するために前記ベース部材上の前記第一スライド部材と前記第二スライド部材との間に回動可能に保持された伝達ギアとを備え、前記駆動源の駆動に伴い前記伝達ギアを回動させることで、前記第一スライド部材が前記第一位置から前記第二位置までスライド移動すると同時に、前記第二スライド部材が前記第一スライド部材の前記ベース部材に対する移動方向が反対側となる前記第三位置から前記第四位置までスライド移動するように構成し、前記突出部は、前記伝達ギアと共に前記第一スライド部材と前記第二スライド部材との間に設けられることを特徴とする請求項１ないし４のいずれか１項に記載の遊技機に係る。
【００１２】
請求項６の発明は、前記突出部は、前記第一スライド部材と前記第二移動部材との間に設けられることを特徴とする請求項１ないし４のいずれか１項に記載の遊技機に係る。
【００１３】
請求項７の発明は、前記第一移動部材と前記第二移動部材とは、前記第一連結部材と前記第二連結部材とを介して前記ベース部材に対して同方向側に配置され、前記第一スライド部材が前記第二位置に位置し、かつ、前記第二スライド部材が前記第四位置に位置した際に、前記第一移動部材と前記第二移動部材とが隣接するように構成したことを特徴とする請求項１ないし６のいずれか１項に記載の遊技機に係る。
【００１４】
請求項８の発明は、前記第一移動部材と前記第二移動部材とは、表示領域を備える図柄表示装置の前面側に設けられ、前記第一移動部材及び前記第二移動部材は、前記第一スライド部材が前記第一位置に位置すると共に前記第二スライド部材が前記第三位置に位置する場合に前記表示領域を露出させる一方、前記第一スライド部材が前記第二位置に位置すると共に前記第二スライド部材が前記第四位置に位置する場合に前記表示領域の少なくとも一部を遮蔽するように構成したことを特徴とする請求項１ないし７のいずれか１項に記載の遊技機に係る。
【００１５】
請求項９の発明は、前記第二移動部材と前記第一スライド部材と前記第二スライド部材は、同一の仮想平面上に配置されることを特徴とする請求項１ないし８のいずれか１項に記載の遊技機に係る。
【発明の効果】
【００１６】
請求項１の発明に係る遊技機は、第一移動部材と第二移動部材とを移動可能な駆動装置を備えた遊技機において、前記駆動装置は、ベース部材と、前記ベース部材上の長辺方向に形成された複数のスライド部と、前記複数のスライド部のうちの前記ベース部材上の第一スライド部に配置され、前記第一スライド部に沿って第一位置と第二位置の間をスライド移動可能な第一スライド部材と、前記複数のスライド部のうちの前記ベース部材上の第二スライド部に配置され、前記第二スライド部に沿って第三位置と第四位置の間をスライド移動可能な第二スライド部材と、前記第一移動部材と前記第一スライド部材とを連結し、前記第一スライド部材のスライド移動に合わせて前記第一移動部材を移動させる第一連結部材と、前記第二移動部材と前記第二スライド部材とを連結し、前記第二スライド部材のスライド移動に合わせて前記第二移動部材を移動させる第二連結部材とを備え、前記第二移動部材が前記第一スライド部材に対して前記第二スライド部材の反対側となる前記ベース部材の側方側に設けられると共に、前記第二連結部材が前記ベース部材上の前記第一スライド部材の移動軌跡を跨いで配置され、前記第二連結部材と前記ベース部材の少なくとも一方に、他方へ向けて突出すると共に突出長さが前記第二連結部材と前記ベース部材との間の前記第一スライド部材の厚みより長い突出部を前記第一スライド部及び前記第二スライド部とは別に設け、前記第一スライド部及び前記第二スライド部によって前記第一スライド部材及び前記第二スライド部材の移動方向を規制する一方、前記第一スライド部材の移動軌跡を跨いだ前記第二連結部材が前記ベース部材方向に動いた場合に、前記第二連結部材が前記第一スライド部材の移動軌跡に侵入する前に前記突出部が当該移動軌跡への侵入を阻止して前記第二連結部材と前記第一スライド部材の接触を抑制するように構成したため、駆動装置を構成する部材同士の意図しない接触を抑制することが可能となる。
【００１７】
請求項２の発明は、請求項１において、前記ベース部材に設けられて前記第二連結部に接触可能なベース部材側突出部からなるため、極めて簡易な構成で効果的に部材同士の意図しない接触を抑制することが可能となる。
【００１８】
請求項３の発明は、請求項１において、前記突出部は、前記第二連結部材に設けられて前記ベース部材に接触可能な連結部材側突出部からなるため、極めて簡易な構成で効果的に部材同士の意図しない接触を抑制することが可能となる。
【００１９】
請求項４の発明は、請求項１において、前記突出部は、前記ベース部材に設けられたベース部材側突出部と、前記第二連結部材に設けられた連結部材側突出部とからなり、前記ベース部材側突出部と前記連結部材側突出部とが互いに接触可能に構成されているため、極めて簡易な構成で効果的に部材同士の意図しない接触を抑制することが可能となる。
【００２０】
請求項５の発明は、請求項１ないし４において、前記駆動装置は、駆動源と、前記駆動源からの動力を前記第一スライド部材及び前記第二スライド部材に伝達するために前記ベース部材上の前記第一スライド部材と前記第二スライド部材との間に回動可能に保持された伝達ギアとを備え、前記駆動源の駆動に伴い前記伝達ギアを回動させることで、前記第一スライド部材が前記第一位置から前記第二位置までスライド移動すると同時に、前記第二スライド部材が前記第一スライド部材の前記ベース部材に対する移動方向が反対側となる前記第三位置から前記第四位置までスライド移動するように構成し、前記突出部は、前記伝達ギアと共に前記第一スライド部材と前記第二スライド部材との間に設けられるため、限られたスペースを有効に利用して突出部を設けることが可能となる。
【００２１】
請求項６の発明は、請求項１ないし４において、前記突出部は、前記第一スライド部材と前記第二移動部材との間に設けられるため、限られたスペースを有効に利用して突出部を設けることが可能となる。
【００２２】
請求項７の発明は、請求項１ないし６において、前記第一移動部材と前記第二移動部材とは、前記第一連結部材と前記第二連結部材とを介して前記ベース部材に対して同方向側に配置され、前記第一スライド部材が前記第二位置に位置し、かつ、前記第二スライド部材が前記第四位置に位置した際に、前記第一移動部材と前記第二移動部材とが隣接するように構成したため、斬新な演出が可能となり、遊技の興趣を向上させることが可能となる。
【００２３】
請求項８の発明は、請求項１ないし７において、前記第一移動部材と前記第二移動部材とは、表示領域を備える図柄表示装置の前面側に設けられ、前記第一移動部材及び前記第二移動部材は、前記第一スライド部材が前記第一位置に位置すると共に前記第二スライド部材が前記第三位置に位置する場合に前記表示領域を露出させる一方、前記第一スライド部材が前記第二位置に位置すると共に前記第二スライド部材が前記第四位置に位置する場合に前記表示領域の少なくとも一部を遮蔽するように構成したため、より斬新な演出が可能となり、遊技の興趣を高めることが可能となる。
【００２４】
請求項９の発明は、請求項１ないし８において、前記第二移動部材と前記第一スライド部材と前記第二スライド部材は、同一の仮想平面上に配置されるため、限られたスペースを有効に活用して移動部材を設置することが可能となる。
【図面の簡単な説明】
【００２５】
【図１】本発明の一実施例に係る遊技機の正面図である。
【図２】第一移動部材と第二移動部材の第一正面図である。
【図３】第一移動部材と第二移動部材の第二正面図である。
【図４】駆動装置の斜視図である。
【図５】駆動装置の正面図である。
【図６】第一連結部材の裏側の斜視図である。
【図７】第二連結部材の裏側の斜視図である。
【図８】移動部材とスライド部材の位置関係を表した要部断面図である。
【図９】第１実施例に係る突出部近傍の第１要部断面図である。
【図１０】第１実施例に係る突出部近傍の第２要部断面図である。
【図１１】第２実施例に係る突出部近傍の第１要部断面図である。
【図１２】第２実施例に係る突出部近傍の第２要部断面図である。
【図１３】第３実施例に係る突出部近傍の第１要部断面図である。
【図１４】第３実施例に係る突出部近傍の第２要部断面図である。
【図１５】第４実施例に係る突出部近傍の第１要部断面図である。
【図１６】第４実施例に係る突出部近傍の第２要部断面図である。
【図１７】第５実施例に係る突出部近傍の第１要部断面図である。
【図１８】第５実施例に係る突出部近傍の第２要部断面図である。
【図１９】第６実施例に係る突出部近傍の第１要部断面図である。
【図２０】第６実施例に係る突出部近傍の第２要部断面図である。
【発明を実施するための形態】
【００２６】
図１に示す実施例の遊技機１は、この発明の一実施形態に係るパチンコ遊技機（弾球遊技機）である。遊技機１では、遊技台（遊技枠体）２の内側に遊技盤３が着脱交換可能に収容されており、その遊技盤３に遊技球（遊技媒体）の内側ガイドレール４及び外側ガイドレール５が略円形に立設され、前記内側ガイドレール４によって囲まれて遊技球が流下可能な遊技領域６に、遊技球の入賞可能な入賞領域である入賞口等の役物が設けられている。図１において、符号７は遊技盤３の前側に取り付けられると共に遊技領域６の前面側に配置されるガラス枠（図示せず）を保持する前面枠である。なお、遊技盤３に備えられた釘は省略している。
【００２７】
まず、遊技領域６の中心線上に設けられた表示装置９の下方に、普通電動役物である始動入賞口１０が配設され、始動入賞口１０の下方には特別電動役物である遊技特典付与装置として大入賞装置（大入賞口とも称される。）１５、その下方にはアウト口１７が配設されている。また、表示装置９の左側には普通図柄変動開始用左ゲート１９その下方に風車２２が設けられており、その下方に袖入賞口２３，２５が配設され、さらには前記大入賞装置１５の両側に左落とし入賞口２７と右落とし入賞口２９が配設されている。この実施例において、始動入賞口１０は、遊技領域６を流下する遊技球を受け入れ可能とすると共に、その入球（入賞）に起因して特別遊技状態（大当たり状態）に移行するか否かの判定を開始するための入球口に相当する。
【００２８】
また、遊技機１の前面側には、遊技状態を報知する枠飾りランプ３５，３６、払い出された遊技球を受けるための上側球受け皿３２、上側球受け皿３２の飽和時に遊技球を受けるための下側球受け皿３４、音声や効果音を発して遊技状態を遊技者に報知するスピーカ３７、遊技者の遊技操作によって適宜の演出等を操作可能な操作手段６０、遊技者による操作ハンドルＨ１（操作手段）の発射操作に応じて遊技球を遊技領域６に向けて弾発発射する発射装置Ｈ等がそれぞれ組み付けられている。
【００２９】
図中の表示装置９（図柄表示手段、判定結果報知手段等を兼ねる。）において、符号４３は数字，アルファベット，記号あるいは絵（キャラクタ）等の図柄を変動表示及び停止表示（最終的に確定表示する前の仮停止表示を含む、以下同じ）可能な図柄表示装置、４９はセンター飾りを有する表示装置９の窓枠部、５０は図柄表示装置４３の液晶表示器（ＴＦＴ−ＬＣＤモジュール）等からなる表示領域である。また、表示領域５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。図柄表示装置４３については、表示領域５０が前記したように液晶表示器に限られるものではなく、有機ＥＬ、ＣＲＴ、その他の表示手段で構成されていてもよい。
【００３０】
この実施例の表示領域５０は、横に並ぶ左特別図柄表示部、中特別図柄表示部、右特別図柄表示部で構成される図柄表示部を有し、それぞれの図柄表示部で判定図柄（当否判定情報）である特別図柄が変動表示及び停止表示される。加えて、表示領域５０には普通図柄表示部（図示せず）が設けられており、普通図柄が変動表示及び停止表示可能とされている。また、表示領域５０には、特別図柄等に加えて背景画像（キャラクタ，背景，文字等を含む。）が表示されることもあり、背景画像が特別図柄の変動開始等の所定条件に起因して変動表示可能となっている場合もある。なお、この実施例において表示領域５０に表示される左、中、右特別図柄は、各々『０，１，２，３，４，５，６，７，８，９，１０，１１』の１２通りの数字からなる図柄である。なお、図示しないが、表示領域５０は、特別図柄保留記憶数表示部、普通図柄表示部、普通図柄変動数記憶領域を有する。
【００３１】
遊技盤３の背面（裏面）には、入賞口への遊技球の入賞を検出する入賞口用検出スイッチ（遊技球検出手段に相当する。）等が設けられている。この実施例では、検出スイッチが各入賞口に対してそれぞれ設けられている。始動入賞口１０に入賞（入球口に入球）した遊技球を検出する特別図柄変動開始スイッチは入賞球の通路に設けられており、入賞球の検出によって図柄表示装置４３の図柄変動は開始される。その際、特別図柄変動中に始動入賞口１０に入賞した遊技球の個数、すなわち特別図柄の変動を開始する回数については、現在変動中のものを除いて保留回数（この例では最高４回）を特別図柄保留記憶数表示部に表示し、記憶数の減少によって前記表示部内の特別図柄保留記憶数の表示個数を減らす。その他、袖入賞口２３，２５及び落とし入賞口２７，２９の入賞球を検出する各袖入賞口用検出スイッチが、それぞれ対応する遊技盤３背面に設けられている。
【００３２】
前述のとおり、始動入賞口１０に入賞した遊技球を検出する特別図柄変動開始スイッチ（始動入賞口センサ）が入賞球用通路に設けられており、前記特別図柄変動開始スイッチによって入賞球が検出（図柄変動条件の契機）されると、図柄表示装置４３における表示領域５０の左，中，右特別図柄表示部で各特別図柄が変動を開始し、所定時間変動後、予め設定された順で特別図柄が変動停止して、停止図柄の組合せが確定表示される。なお、図柄変動パターン等によっては、特別図柄の確定表示以前に、いわゆるリーチ状態となったり、リーチ予告、当たり予告等が行われる。そして、前記確定表示された停止図柄の組合せが、予め決められた特別図柄組合せである特定の大当たり図柄組合せ、例えば、同一の特別図柄の組合せからなる通称ぞろ目であると、大当たり状態（特別遊技状態）に移行する。大当たり状態になると、大入賞装置１５の開閉板が開いて遊技領域６表面を落下してくる遊技球を受け止め、大入賞装置１５内へ入賞可能にする。
【００３３】
ここで、リーチ状態とは、表示領域５０の左，中，右特別図柄表示部において、特別図柄の変動表示が開始された後、表示制御が進行して表示結果が停止表示される前段階において、特定の表示態様、つまり大当たり図柄の組合せ（同一図柄の組合せ）が表示されやすい可変表示態様となったと遊技者に思わせるための表示態様をいう。この実施例では、リーチ状態の１つとして、前記表示領域５０の左，中，右特別図柄表示部のうち、最終停止図柄（ここでは右特別図柄）を表示する表示部（ここでは右特別図柄表示部）だけを残して、残りの２つの表示部で図柄が特定の組合せ（例えば同一図柄）となるように仮停止するリーチ変動表示処理がなされている。
【００３４】
また、リーチ状態時には、表示領域５０における特別図柄（主に最終停止特別図柄）の変動時間を長くしたり、表示領域５０における特別図柄を利用した図柄利用演出や特別図柄の背後に表示されるキャラクタや背景等を表示してリーチアクションが演出される。なお、リーチ状態になる前に、リーチ状態になる可能性または大当たりになる可能性が高いことを報知する予告（予兆）が演出されるようにしてもよい。前記の予告としては、表示領域５０上へのキャラクタの表示や残像表示等が挙げられる。
【００３５】
遊技盤３の大入賞装置１５の背面側には、大入賞装置１５への入賞球を検出する入賞球検出スイッチが設けられている。前記各入賞口への遊技球の入賞を各検出スイッチが検出するとき、すなわち遊技における入賞条件が成立すると、賞球払出装置によって、入賞球数に応じて予め設定されている所定数の遊技球が賞品球として払い出される。開閉板は、所定時間（例えば３０秒）経過した時点で閉鎖される。これにより、遊技者はより多くの賞球を得ることができる。一連の遊技は特別遊技（大当たり遊技）であり、その状態は特別遊技状態である。
【００３６】
前記した入賞口用検出スイッチの他に遊技盤背面に設けられている装置としては、始動入賞口１０の可動片を開閉する始動入賞口用ソレノイドと、大入賞装置１５の開閉板を開閉する大入賞口開放用ソレノイド等があり、普通図柄変動開始用ゲート１９には通過する遊技球を検出するゲート検出スイッチがある。
【００３７】
普通図柄変動開始スイッチでゲート１９を通過する遊技球を検出することによって、普通図柄表示部における普通図柄の変動は開始する。そして、普通図柄表示部において図柄変動した後に確定表示された図柄が予め設定されている特定の図柄であった場合には、小当たり（普通図柄当たり）となり、始動入賞口用ソレノイドにより始動入賞口１０の可動片の拡開開放が後記する所定時間行われ、賞球が払い出される。普通図柄の変動を開始する回数については、現在変動中のものを除いて保留回数（この例では最高４回）を普通図柄変動数記憶領域に表示するようになっている。
【００３８】
この遊技機１は、図２，３に示すように、各種遊技状態等に応じて可動する演出を実行する可動役物（演出部材）としての第一移動部材１００及び第二移動部材１０５と、第一移動部材１００と第二移動部材１０５とを移動可能な駆動装置１１０とを備える。実施例において、第一移動部材１００と第二移動部材１０５は、図１〜図３に示すように、図柄表示装置４３の前面側に設けられた一対の板状部材からなる。
【００３９】
駆動装置１１０は、図２〜図５に示すように、ベース部材１１１と、第一スライド部材１２０と、第二スライド部材１２５と、第一連結部材１３０と、第二連結部材１３５とを備える。
【００４０】
ベース部材１１１は、図４，５に示すように、遊技盤３と前面枠７との間に設けられた長板状部材である。図において、符号１１２はベース部材１１１の一端側から他端側に亘って長辺方向に形成された後述する第一スライド部材１２０のための第一スライド溝部、１１３はベース部材１１１の一端側から他端側に亘って第一スライド溝部１１２と略平行な長辺方向に形成された後述する第二スライド部材１２５のための第二スライド溝部である。
【００４１】
第一スライド部材１２０は、図２〜図５に示すように、ベース部材１１１上の第一スライド溝部１１２にスライド移動自在に配置された第一スライド溝部１１２の長さより短い棒状部材である。この第一スライド部材１２０は、第一スライド溝部１１２に沿って、第一位置１２０Ａと第二位置１２０Ｂの間をスライド移動可能に構成される。実施例において、第一位置１２０Ａは、ベース部材１１１上の第一スライド溝部１１２の一側端部に相当する位置である。また、第二位置１２０Ｂは、ベース部材１１１上の第一スライド溝部１１２の他側端部に相当する位置である。なお、図の符号ｍ１は第一スライド部材１２０の移動軌跡を表すものであり、第一スライド溝部１１２に沿った第一スライド部材１２０の厚みＴ１分の領域に相当する。
【００４２】
第二スライド部材１２５は、図２〜図５に示すように、ベース部材１１１上の第二スライド溝部１１３にスライド移動自在に配置された第二スライド溝部１１３の長さより短い棒状部材である。この第二スライド部材１２０は、第二スライド溝部１１３に沿って、第三位置１２５Ａと第四位置１２５Ｂの間をスライド移動可能に構成される。実施例において、第三位置１２５Ａは、ベース部材１１１上の第二スライド溝部１１２の他側端部に相当する位置である。また、第四位置１２５Ｂは、ベース部材１１１上の第二スライド溝部１１３の一側端部に相当する位置である。なお、図の符号ｍ２は第二スライド部材１２５の移動軌跡を表すものであり、第二スライド溝部１１３に沿った第二スライド部材１２５の厚みＴ２分の領域に相当する。
【００４３】
第一連結部材１３０は、図２，３に示すように、第一移動部材１００と第一スライド部材１２０とを連結し、第一スライド部材１２０のスライド移動に合わせて第一移動部材１００を移動させる。実施例の第一連結部材１３０は、図２，３，６に示すように、第一スライド部材１２０の一側端部上面側に固定される第一スライド部材側固定部１３１と、第一スライド部材側固定部１３１に対して裏面側に突出して第一移動部材１００の裏面側に固定される第一移動部材側固定部１３２とを有する。
【００４４】
また、この第一連結部材１３０では、図２，３，８に示すように、第一移動部材側固定部１３１が第一スライド部材１２０に対して第二スライド部材１２５の反対側に配置される。そのため、第一移動部材側固定部１３２に固定される第一移動部材１００は、第一スライド部材１２０に対して第二スライド部材１２５の反対側となるベース部材１１１の側方側（図２，３の例では、左側の第一スライド部材１２０に対して右側、右側の第一スライド部材１２０に対して左側）に配置される。
【００４５】
第二連結部材１３５は、図２，３に示すように、第二移動部材１０５と第二スライド部材１２５とを連結し、第二スライド部材１２５のスライド移動に合わせて第二移動部材１０５を移動させる。実施例の第二連結部材１３５は、図２，３，７に示すように、第二スライド部材１２５の他側端部上面側に固定される第二スライド部材側固定部１３６と、第二スライド部材側固定部１３６に対して裏面側に突出して第二移動部材１０５の裏面側に固定される第二移動部材側固定部１３７とを有する。
【００４６】
また、この第二連結部材１３５では、図２，３，８，９に示すように、第二スライド部材側固定部１３６がベース部材１１１上の第一スライド部材１２０の移動軌跡ｍ１に進入しないように跨いで配置され、かつ、第二移動部材側固定部１３７が第一スライド部材１２０に対して第二スライド部材１２５の反対側に配置される。そのため、第二移動部材側固定部１３７に固定される第二移動部材１０５は、第一スライド部材１２０に対して第二スライド部材１２５の反対側となるベース部材１１１の側方側、すなわち、ベース部材１１１に対して第一移動部材１００と同方向側に配置される。
【００４７】
この駆動装置１１０において、第一連結部材１３０を介して第一スライド部材１２０に連結される第一移動部材１００と、第二連結部材１３５を介して第二スライド部材１２５に連結される第二移動部材１０５とは、図８に示すように、互いに同一の仮想平面Ｐ上に配置されており、さらに、第一移動部材１００と第二移動部材１０５と第一スライド部材１２０と第二スライド部材１２５が、同一の仮想平面Ｐ上に配置される。これにより、遊技盤３（図柄表示装置４３）と前面枠７（ガラス枠）との間の限られたスペースを有効に活用して比較的大きな部材である移動部材１００，１０５を設置することができる。そして、図３に示すように、第一スライド部材１２０が第二位置１２０Ｂに位置し、かつ、第二スライド部材１２５が第四位置１２５Ｂした際には、表示領域５０の中央部分付近前面側において第一移動部材１００と第二移動部材１０５とが隣接する。そのため、図２に示すように、第一スライド部材１２０が第一位置１２０Ａかつ第二スライド部材１２５が第三位置１２５Ａである状態から、図３に示すように、第一スライド部材１２０が第二スライド部材側固定部１３６とベース部材１１との間に形成された移動軌跡ｍ１よりも広い空間を潜って第二位置１２０Ｂまで移動しかつ第二スライド部材１２５が第四位置１２５Ｂ移動し、続けて第一スライド部材１２０が第一位置１２０Ａかつ第二スライド部材１２５が第三位置１２５Ａまで移動する等により第一移動部材１００と第二移動部材１０５とを開閉させるように動作させる斬新な演出が可能となり、遊技の興趣を向上させることができる。
【００４８】
実施例の駆動装置１１０は、図４，５に示すように、いわゆるラックアンドピニオン機構からなり、モータ等からなる駆動源１１５と、駆動源１１５からの動力を第一スライド部材１２０及び第二スライド部材１２５に伝達するためにベース部材１１１上の第一スライド部材１２０と第二スライド部材１２５との間に回動可能に保持された伝達ギア１１６とを備える。この駆動装置１１０では、駆動源１１５の駆動に伴い伝達ギア１１６を回動させることで、第一スライド部材１２０が第一位置１２０Ａから第二位置１２０Ｂまでスライド移動すると同時に、第二スライド部材１２５が第一スライド部材１２０のベース部材１１１に対する移動方向が反対側となる第三位置１２５Ａから第四位置１２５Ｂまでスライド移動するように構成される。これにより、単一の駆動源１１５を用いて第一スライド部材１２０と第二スライド部材１２５とをスライド移動させることが可能となるので、装置の簡略化を図ることができる。
【００４９】
ここで、図２に示すように、第一スライド部材１２０が第一位置１２０Ａに位置すると共に第二スライド部材１２５が第三位置１２５Ａに位置した場合、第一連結部材１３０と第二連結部材１３５とを介して第一スライド部材１２０と第二スライド部材１２５とに連結された第一移動部材１００と第二移動部材１０５は、遊技者が表示領域５０のほぼ全体を視認可能となるように表示領域５０を露出させる。一方、図３に示すように、第一スライド部材１２０が第二位置１２０Ｂに位置すると共に第二スライド部材１２５が第四位置１２５Ｂに位置した場合、表示領域５０の中央部分付近前面側において第一移動部材１００と第二移動部材とが隣接し、遊技者が表示領域５０の中央部付近の一部を視認不可能となるように表示領域５０の少なくとも一部を遮蔽する。特に、伝達ギア１１６を介して第一スライド部材１２０と第二スライド部材１２５とが同期するようにスライド移動させることにより、第一移動部材１００と第二移動部材１０５とが表示領域５０の露出と遮蔽を繰り返す開閉動作が可能となる。このように、表示領域５０を物理的に遮蔽可能な開閉動作をするように構成すれば、特別図柄の変動表示時に変動中あるいは停止中の特別図柄を遊技者から隠して遊技者に対して大当たり等の期待感を持たせるようにしたり、表示領域５０に表示される各種の画像による演出と連動して作動させた斬新な演出が可能となる等、遊技の興趣を高めることができる。
【００５０】
また、この駆動装置１１０は、移動させる第一移動部材１００や第二移動部材１０５の大きさや形状等に応じて、単一または複数設けられる。実施例では、図２，３に示すように、遊技盤３の左右両側に配置され、第一スライド部材１２０と第二スライド部材１２５とを上下方向にスライド移動させて第一移動部材１００と第二移動部材１０５とを上下方向に開閉させる。このように、駆動装置１１０を両側に配置することにより、第一移動部材１００と第二移動部材１０５とを両側から支持して、安定して移動させることが可能となる。なお、第一連結部材１３０は、左右の第一スライド部材１２０，１２０と第一移動部材１００とを連結し、同様に、第二連結部材１３５は、左右の第二スライド部材１２５，１２５と第二移動部材１０５とを連結している。
【００５１】
上記駆動装置１１０にあっては、図９〜図２０に示すように、第二連結部材１３５とベース部材１１１の少なくとも一方に、他方へ向けて突出すると共に突出長さＬが第二連結部材１３５とベース部材１１１との間の第一スライド部材１２０の厚みＴ１より長い突出部１４０が設けられ、第二連結部材１３５がベース部材１１１方向に動いた場合である異常時に、第二連結部材１３５が第一スライド部材１２０の移動軌跡ｍ１に侵入する前に突出部１４０が当該移動軌跡ｍ１への侵入を阻止するように構成されている。以下、図９〜図２０に示す突出部１４０の様々なバリエーションについて説明する。
【００５２】
第１実施例の突出部１４０Ａは、図９，１０に示すように、伝達ギア１１６と共に第一スライド部材１２０と第二スライド部材１２５との間のベース部材１１１に設けられて第二連結部１３５に接触可能なベース部材側突出部１４１Ａである。このベース部材側突出部１４１Ａは、第一スライド部材１２０と第二スライド部材１２５とに接触しない程度の十分な幅を有すると共に、少なくとも第二連結部材１３５の移動距離に相当する長さを有する突条に形成される。ベース部材側突出部１４１Ａをこのような形状にすれば、突出部１４０を強固にすると共にベース部材１１を補強することが可能となる。また、突出部１４０Ａでは、ベース部材側突出部１４１Ａの突出長さＬ１が、第一スライド部材１２０の厚みＴ１より長く、かつ、ベース部材１１１と第二連結部材１３５との距離ｄより短く構成される。
【００５３】
図９に示す通常時では、第一スライド部材１２０と第二連結部材１３５、あるいは、ベース部材側突出部１４１Ａと第二連結部材１３５とが接触せず、駆動装置１１０の動作の妨げとなることがない。一方、図１０に示す異常時では、ベース部材側突出部１４１Ａの突出長さＬ１が第一スライド部材１２０の厚みＴ１より長いため、ベース部材１１１方向に動いた第二連結部材１３５が第一スライド部材１２０の移動軌跡ｍ１に侵入する前にベース部材側突出部１４１Ａと接触し、第一スライド部材１２０とは接触せず駆動装置１１０の動作（特に、第一スライド部材１２０のスライド移動）を妨げることがない。
【００５４】
第２実施例の突出部１４０Ｂは、図１１，１２に示すように、伝達ギア１１６と共に第一スライド部材１２０と第二スライド部材１２５との間の第二連結部材１３５に設けられてベース部材１１１に接触可能な連結部材側突出部１４２Ｂからなる。この連結部材側突出部１４２Ｂは、第二連結部材１３５の幅に相当する長さを有する突条に形成される。また、突出部１４０Ｂでは、連結部材側突出部１４２Ｂの突出長さＬ２が、第一スライド部材１２０の厚みＴ１より長く、かつ、ベース部材１１１と第二連結部材１３５との距離ｄより短く構成される。
【００５５】
図１１に示す通常時では、第一スライド部材１２０と第二連結部材１３５、あるいは、連結部材側突出部１４２Ｂと第二連結部材１３５とが接触せず、駆動装置１１０の動作の妨げとなることがない。一方、図１２に示す異常時では、連結部材側突出部１４２Ｂの突出長さＬ２が第一スライド部材１２０の厚みＴ１より長いため、ベース部材１１１方向に動いた第二連結部材１３５が第一スライド部材１２０の移動軌跡ｍ１に侵入する前に、連結部材側突出部１４２Ｂがベース部材１１１と接触する。従って、第二連結部材１３５と第一スライド部材１２０とは接触せず、駆動装置１１０の動作（特に、第一スライド部材１２０のスライド移動）を妨げることがない。
【００５６】
第３実施例の突出部１４０Ｃは、図１３，１４に示すように、伝達ギア１１６と共に第一スライド部材１２０と第二スライド部材１２５との間のベース部材１１１に設けられたベース部材側突出部１４１Ｃと、伝達ギア１１６と共に第一スライド部材１２０と第二スライド部材１２５との間の第二連結部材１３５のベース部材側突出部１４１Ｃとの対向位置に設けられた連結部材側突出部１４２Ｃとからなり、ベース部材側突出部１４１Ｃと連結部材側突出部１４２Ｃとが互いに接触可能に構成されている。ベース部材側突出部１４１Ｃは、第一スライド部材１２０と第二スライド部材１２５とに接触しない程度の十分な幅を有すると共に、少なくとも第二連結部材１３５の移動距離に相当する長さを有する突条に形成される。ベース部材側突出部１４１Ａをこのような形状にすれば、突出部１４０を強固にすると共にベース部材１１を補強することが可能となる。一方、連結部材側突出部１４２Ｃは、第二連結部材１３５の幅に相当する長さを有する段形状に形成される。また、突出部１４０Ｃでは、ベース部材側突出部１４１Ｃの突出長さＬ１と連結部材側突出部１４２Ｃの突出長さＬ２とを合わせた突出長さＬが、第一スライド部材１２０の厚みＴ１より長く、かつ、ベース部材１１１と第二連結部材１３５との距離ｄより短く構成される。
【００５７】
図１３に示す通常時では、第一スライド部材１２０と第二連結部材１３５、あるいは、ベース部材側突出部１４１Ｃと連結部材側突出部１４２Ｃとが接触せず、駆動装置１１０の動作の妨げとなることがない。一方、図１４に示す異常時では、ベース部材側突出部１４１Ｃの突出長さＬ１と連結部材側突出部１４２Ｃの突出長さＬ２とを合わせた突出長さＬが第一スライド部材１２０の厚みＴ１より長いため、ベース部材１１１方向に動いた第二連結部材１３５が第一スライド部材１２０の移動軌跡ｍ１に侵入する前に、ベース部材側突出部１４１Ｃと連結部材側突出部１４２Ｃとが互いに接触する。従って、第二連結部材１３５と第一スライド部材１２０とは接触せず、駆動装置１１０の動作（特に、第一スライド部材１２０のスライド移動）を妨げることがない。
【００５８】
第４実施例の突出部１４０Ｄは、図１５，１６に示すように、第一スライド部材１２０と第二移動部材１０５との間のベース部材１１１に設けられて第二連結部１３５に接触可能なベース部材側突出部１４１Ｄである。このベース部材側突出部１４１Ｄは、少なくとも第二連結部材１３５の移動距離に相当する長さを有する突条に形成される。また、突出部１４０Ｄでは、ベース部材側突出部１４１Ａと同様に、ベース部材側突出部１４１Ｄの突出長さＬ１が、第一スライド部材１２０の厚みＴ１より長く、かつ、ベース部材１１１と第二連結部材１３５との距離ｄより短く構成される。そのため、図１５に示す通常時では、第一スライド部材１２０と第二連結部材１３５、あるいは、ベース部材側突出部１４１Ｄと第二連結部材１３５とが接触せず、図１６に示す異常時では、ベース部材１１１方向に動いた第二連結部材１３５が第一スライド部材１２０の移動軌跡ｍ１に侵入する前にベース部材側突出部１４１Ｄと接触し、第一スライド部材１２０とは接触しない。従って、駆動装置１１０の動作（特に、第一スライド部材１２０のスライド移動）を妨げることがない。
【００５９】
第５実施例の突出部１４０Ｅは、図１７，１８に示すように、第一スライド部材１２０と第二移動部材１０５との間の第二連結部材１３５に設けられてベース部材１１１に接触可能な連結部材側突出部１４２Ｅからなる。この連結部材側突出部１４２Ｅは、第二連結部材１３５の幅に相当する長さを有する突条に形成される。また、突出部１４０Ｅでは、連結部材側突出部１４２Ｂと同様に、連結部材側突出部１４２Ｅの突出長さＬ２が、第一スライド部材１２０の厚みＴ１より長く、かつ、ベース部材１１１と第二連結部材１３５との距離ｄより短く構成される。そのため、図１７に示す通常時では、第一スライド部材１２０と第二連結部材１３５、あるいは、連結部材側突出部１４２Ｅとベース部材１１１とが接触せず、図１８に示す異常時では、ベース部材１１１方向に動いた第二連結部材１３５が第一スライド部材１２０の移動軌跡ｍ１に侵入する前に、連結部材側突出部１４２Ｅがベース部材１１１と接触し、第一スライド部材１２０と第二連結部材１３５とは接触しない。従って、駆動装置１１０の動作（特に、第一スライド部材１２０のスライド移動）を妨げることがない。
【００６０】
第６実施例の突出部１４０Ｆは、図１９，２０に示すように、第一スライド部材１２０と第二移動部材１０５との間のベース部材１１１に設けられたベース部材側突出部１４１Ｆと、第一スライド部材１２０と第二移動部材１０５との間の第二連結部材１３５のベース部材側突出部１４１Ｆとの対向位置に設けられた連結部材側突出部１４２Ｆとからなり、ベース部材側突出部１４１Ｆと連結部材側突出部１４２Ｆとが互いに接触可能に構成されている。ベース部材側突出部１４１Ｆは、少なくとも第二連結部材１３５の移動距離に相当する長さを有する突条に形成される。一方、連結部材側突出部１４２Ｆは、第二連結部材１３５の幅に相当する長さを有する突条に形成される。また、突出部１４０Ｆでは、ベース部材側突出部１４１Ｃ及び連結部材側突出部１４２Ｃと同様に、ベース部材側突出部１４１Ｆの突出長さＬ１と連結部材側突出部１４２Ｆの突出長さＬ２とを合わせた突出長さＬが、第一スライド部材１２０の厚みＴ１より長く、かつ、ベース部材１１１と第二連結部材１３５との距離ｄより短く構成される。そのため、図１９に示す通常時では、第一スライド部材１２０と第二連結部材１３５、あるいは、ベース部材側突出部１４１Ｆと連結部材側突出部１４２Ｆとが接触せず、図２０に示す異常時では、ベース部材１１１方向に動いた第二連結部材１３５が第一スライド部材１２０の移動軌跡ｍ１に侵入する前に、ベース部材側突出部１４１Ｃと連結部材側突出部１４２Ｃとが互いに接触し、第一スライド部材１２０と第二連結部材１３５とは接触しない。従って、駆動装置１１０の動作（特に、第一スライド部材１２０のスライド移動）を妨げることがない。
【００６１】
上記第１〜第６実施例の突出部１４０Ａ〜１４０Ｆにあっては、第二連結部材１３５とベース部材１１１の少なくとも一方に、他方へ向けて突出すると共に突出長さＬが第二連結部材１３５とベース部材１１１との間の第一スライド部材１２０の厚みＴ１より長く形成されているため、第一スライド部材１２０と第二連結部材１３５との意図しない接触を容易に抑制することが可能となる。
【００６２】
また、実施例のように、比較的大きな移動部材１００，１０５を上下方向に移動させる場合では、遊技盤３の左右にそれぞれ駆動装置１１０，１１０を配置することで、各移動部材１００，１０５の移動が安定するため、突出部１４０（１４０Ａ〜１４０Ｆ）によって第一スライド部材１２０と第二連結部材１３５との意図しない接触をより効果的に抑制することができる。
【００６３】
さらに、第一スライド部材１２０と第二スライド部材１２５とをベース部材１１１の同一平面上かつ平行に配置することで、駆動装置１１０の厚みを最小限に抑えることが可能となり、当該駆動装置１１０においてラックアンドピニオン機構を用いれば、第一移動部材１００及び第二移動部材１０５の移動範囲を広げた中で、第一スライド部材１２０と該第一スライド部材１２０を跨ぐ第二連結部材１３５との意図しない接触を抑制して安定して作動させることが可能となる。
【００６４】
以上図示し説明したように、本発明の遊技機１では、第二連結部材１３５が第一スライド部材を跨いで構成された場合、第二連結部材１３５とベース部材１１１の少なくとも一方に、他方へ向けて突出すると共に突出長さＬが第二連結部材１３５とベース部材１１１との間の第一スライド部材１２０の厚みＴ１より長い突出部１４０を設け、第二連結部材１３５がベース部材１１１方向に動いた場合に、第二連結部材１３５が第一スライド部材１２０の移動軌跡ｍ１に侵入する前に突出部１４０が当該移動軌跡ｍ１への侵入を阻止するように構成されているため、駆動装置１１０を構成する部材、特に、第一スライド部材１２０と第二連結部材１３５との意図しない接触を抑制することが可能となる。
【００６５】
また、突出部１４０としては、複雑な構成を必要とせず、ベース部材１１１側のみに形成したベース部材側突出部（１４１Ａ，１４１Ｄ）、第二連結部材１３５側のみに形成した連結部材側突出部（１４２Ｂ，１４２Ｅ）、ベース部材１１１側と第二連結部材１３５側の双方に形成したベース部材側突出部（１４１Ｃ，１４１Ｆ）及び連結部材側突出部（１４２Ｃ，１４２Ｆ）のように、極めて簡易な構成で効果的に部材同士の意図しない接触を抑制することが可能となる。
【００６６】
さらに、突出部１４０を第一スライド部材１２０と第二スライド部材１２５との間（１４０Ａ，１４０Ｂ，１４０Ｃ）、あるいは、第一スライド部材１２０と第二移動部材１０５との間（１４０Ｄ，１４０Ｅ，１４０Ｆ）に設けることにより、限られたスペースを有効に利用して突出部１４０を設けることが可能となる。
【００６７】
なお、本発明の遊技機は、前述の実施例のみに限定されるものではなく、発明の趣旨を逸脱しない範囲において構成の一部を適宜に変更して実施することができる。例えば、突出部の形状として、突条や段形状としたが、第一スライド部材と第二連結部材との意図しない接触を回避可能な形状であれば、特に限定されない。
【００６８】
また、実施例の各移動部材は、駆動装置を遊技盤の左右両側に配置して各スライド部材により上下方向に移動可能に構成されていたが、駆動装置を遊技盤の上下に配置して各スライド部材により左右方向に移動可能としてもよい。
【００６９】
さらに、実施例では、遊技盤の左右にそれぞれ駆動装置を配置したが、いずれか一方のみに駆動装置を配置し、他方には駆動源を有していない摺動部材を配置して各移動部材の他側を摺動可能に支持するようにしてもよい。これにより、装置の簡略化を図ることができるとともに、電力消費を抑制することができる。加えて、必要に応じて、他方に駆動装置や摺動部材を配置せずに一方の駆動装置のみで移動可能としてもよい。
【符号の説明】
【００７０】
１    遊技機
２    遊技台
３    遊技盤
４３    図柄表示装置
５０    表示領域
１００    第一移動部材
１０５    第二移動部材
１１０    駆動装置
１１１    ベース部材
１２０    第一スライド部材
１２０Ａ  第一位置
１２０Ｂ  第二位置
１２５    第二スライド部材
１２５Ａ  第三位置
１２５Ｂ  第四位置
１３０    第一連結部材
１３５    第二連結部材
１４０    突出部
【図１】
0005307222.tif 000002
【図２】
0005307222.tif 000003
【図３】
0005307222.tif 000004
【図４】
0005307222.tif 000005
【図５】
0005307222.tif 000006
【図６】
0005307222.tif 000007
【図７】
0005307222.tif 000008
【図８】
0005307222.tif 000009
【図９】
0005307222.tif 000010
【図１０】
0005307222.tif 000011
【図１１】
0005307222.tif 000012
【図１２】
0005307222.tif 000013
【図１３】
0005307222.tif 000014
【図１４】
0005307222.tif 000015
【図１５】
0005307222.tif 000016
【図１６】
0005307222.tif 000017
【図１７】
0005307222.tif 000018
【図１８】
0005307222.tif 000019
【図１９】
0005307222.tif 000020
【図２０】
0005307222.tif 000021